(57)【要約】【課題】  センサーを狭いスペースであっても簡単容易にかつ楽に設置でき、しかも、振動などによる緩みを確実に防止する。【解決手段】  変位センサー１を金属板Ａに埋め込み状に取り付ける場合における変位センサーの固定構造として、変位センサー１における円筒状ケース１０に外周ネジ１０ａを設ける一方、中心部に変位センサー１における円筒状ケース１０の外周ネジ１０ａに螺合する大径ネジ孔２０ａを有し、かつ大径ネジ孔２０ａの少なくとも一側部に軸方向に貫通する小径ネジ孔２０ｃを設けた一対の固定用ナット２，２と、各小径ネジ孔２０ｃ，２０ｃに螺合するロックネジ３，３とを備えるようにした。【選択図】  図３
2005249766.tif 000002
【特許請求の範囲】
【請求項１】
中心部にセンサーにおける円筒状ケースの外周ネジに螺合する大径ネジ孔を有するナット本体における大径ネジ孔の少なくとも一側部に、軸方向に貫通するロックネジ用の小径ネジ孔を設けたことを特徴とするセンサーの固定用ナット。
【請求項２】
センサーを金属板等に埋め込み状に取り付ける場合に用いるセンサーの固定構造であって、センサーにおける円筒状ケースに外周ネジを設ける一方、中心部にセンサーにおける円筒状ケースの外周ネジに螺合する大径ネジ孔を有し、かつ大径ネジ孔の少なくとも一側部に軸方向に貫通する小径ネジ孔を設けた一対の固定用ナットと、各小径ネジ孔に螺合するロックネジとを備え、センサーの円筒状ケースを金属板等の貫通孔に差し込んで貫通させたうえで、その外周ネジの両端部に固定用ナットをそれぞれ螺合して金属板等を挟み付け、かつ、各小径ネジ孔にロックネジを螺合してその先端部を金属板等に押圧することにより固定用ナットを緩み不能にロックするように構成したことを特徴とするセンサーの固定構造。
【請求項３】
ロックネジはその外周に緩み止めにすぐれたナイロン等が被覆されていると共に、上部に断面六角のＬレンチが係合可能な六角穴部を有していることを特徴とする請求項２に記載のセンサーの固定構造。
【発明の詳細な説明】
【技術分野】
【０００１】  本発明は、センサーを金属板等に埋め込み状に取り付ける場合に用いるセンサーの固定用ナット及びセンサーの固定構造に関する。
【背景技術】
【０００２】  従来、たとえば材料などの位置の変位を検出する変位センサーを金属板に埋込み状に取り付ける変位センサーの固定構造としては、図９に示すように、変位センサー１の円筒状ケース１０の外周にネジ部１０ａを形成すると共に、そのネジ部１０ａにそれぞれ螺合して金属板Ａを両側から締め付ける一対のナットＮ，ＮとこれらナットＮ，Ｎ間に介装される歯付き座金Ｓとを備えた構成となっている。【０００３】  そして、変位センサー１を金属板Ａに埋込み状に取り付ける場合、円筒状ケース１０のネジ部１０ａから一方のナットＮと歯付き座金Ｓとを外し、その外したネジ側から円筒状ケース１０を金属板Ａの貫通孔ａに差し込んで貫通させ、その差し込み側ネジ部１０ａに歯付き座金Ｓを介して一方のナットＮを螺合し、一対のナットＮ，Ｎで金属板Ａを強固に締め付けることにより、変位センサー１を金属板Ａに取り付けるようにしている。
【発明が解決しようとする課題】
【０００４】  ところが、上記した変位センサーの固定機構にあっては、ナットＮ，Ｎを強固に締め付けて固定する必要がある。そのため、大きなスパナなどの治具が必要となるのであるが、この種の変位センサー１は狭い機械内部に設置されることがほとんどであるため、大きなスパナを用いての固定作業が非常にやりにくい問題があった。また、緩みを防止するための歯付き座金Ｓを用いても機械の振動で緩みが発生する問題があり、この問題の解決策としてナットＮ，Ｎを強く締めすぎると真鍮製の円筒状ケース１０のネジを変形させるといった問題も有していた。
【０００５】  そこで、本発明は、センサーを狭いスペースであっても簡単容易にかつ楽に設置でき、しかも、振動などによる緩みを確実に防止できるセンサーの固定用ナット及びセンサーの固定構造の提供を課題とする。
【課題を解決するための手段】
【０００６】  上記課題を解決するために、本願の請求項１に記載の発明は、中心部にセンサーにおける円筒状ケースの外周ネジに螺合する大径ネジ孔を有するナット本体における大径ネジ孔の少なくとも一側部に、軸方向に貫通するロックネジ用の小径ネジ孔を設けたことを特徴とする。
【０００７】  また、本願の請求項２に記載の発明は、センサーを金属板等に埋め込み状に取り付ける場合に用いるセンサーの固定構造として、センサーにおける円筒状ケースに外周ネジを設ける一方、中心部にセンサーにおける円筒状ケースの外周ネジに螺合する大径ネジ孔を有し、かつ大径ネジ孔の少なくとも一側部に軸方向に貫通する小径ネジ孔を設けた一対の固定用ナットと、各小径ネジ孔に螺合するロックネジとを備え、センサーの円筒状ケースを金属板等の貫通孔に差し込んで貫通させたうえで、その外周ネジの両端部に固定用ナットをそれぞれ螺合して金属板等を挟み付け、かつ、各小径ネジ孔にロックネジを螺合してその先端部を金属板等に押圧することにより固定用ナットを緩み不能にロックするように構成したことを特徴とする。
【０００８】  さらに、本願の請求項３に記載の発明は、請求項２に記載のロックネジの外周に緩み止めにすぐれたナイロン等を被覆すると共に、上部に断面六角のＬレンチが係合可能な六角穴部を備えたことを特徴とする。
【発明の効果】
【０００９】  上記した本発明のセンサーの固定用ナットによれば、センサーの円筒状ケースを金属板等の貫通孔に差し込んで貫通させたうえで、その外周ネジの両端部に固定用ナットをそれぞれ軽く螺合して金属板等を挟み付け、かつ、各小径ネジ孔にロックネジをたとえば小さなＬレンチなどで軽く締め付けてロックネジの先端部を金属板等に押圧することにより固定用ナットを狭いスペースであっても簡単容易にかつ緩み不能にロックすることができる。
【００１０】  また、上記した本発明のセンサーの固定構造によれば、センサーの円筒状ケースを金属板等の貫通孔に差し込んで貫通させたうえで、その外周ネジの両端部に固定用ナットをそれぞれ軽く螺合して金属板等を挟み付け、かつ、各小径ネジ孔にロックネジを小さなＬレンチで軽く締め付けてその先端部を金属板等に押圧することにより固定用ナットを緩み不能にロックすることができる。その結果、固定用ナットを強く締め付ける必要がなく、狭いスペースであってもセンサーを小さなＬレンチなどを用いて簡単容易にかつ楽に設置でき、それでいて振動などによる緩みを効果的に防止できる。
【００１１】  さらに、ロックネジとしてその外周に緩み止めにすぐれたナイロン等を被覆し、かつ上部に断面六角のＬレンチが係合可能な六角穴部を備えた構成とすれば、ロックネジを各小径ネジ孔に断面六角のＬレンチにより軽く螺合するだけで各固定用ナットを円筒状ケースに対してより確実に緩みが生じることなくロックすることができるので好ましい。
【発明の実施するための最良の形態】
【００１２】  以下、本発明の実施の形態を図に基づいて説明する。
【００１３】  図１及び図２は、図３に示すように材料Ｘの位置の変位を検出する変位センサー１を金属板Ａに埋め込み状に取り付ける場合に用いる変位センサー１の固定用ナット２を示す。この固定用ナット２は、中心部に変位センサー１における円筒状ケース１０の外周ネジ１０ａに螺合する大径ネジ孔２０ａを有する６角形状のナット本体２０における大径ネジ孔２０ａの少なくとも一側部に、半円状の膨出部２０ｂが形成され、この膨出部２０ｂに軸方向に貫通するロックネジ用の小径ネジ孔２０ｃを設けたものである。
【００１４】  なお、固定用ナット２はタッピングフォーマーによりブランクから順次所定の形状に成形、穴明け、転造によるメネジ成形及びメネジの全数検査が一貫して行われて連続的に製造される。
【００１５】  図３及び図４は、上記した固定用ナット２を用いた変位センサーの固定構造を示す。この変位センサーの固定構造は、変位センサー１における円筒状ケース１０に外周ネジ１０ａを設ける一方、上記した一対の固定用ナット２，２と、各小径ネジ孔２０ｃ，２０ｃに螺合するロックネジ３，３とを備える。そして、変位センサー１の円筒状ケース１０を金属板Ａの貫通孔ａに差し込んで貫通させたうえで、その外周ネジ１０ａの両端部に固定用ナット２，２をそれぞれ軽く螺合して金属板を挟み付け、かつ、各小径ネジ孔２０ｃ，２０ｃにロックネジ３，３を軽く螺合してその先端部を金属板に押圧し、これにより固定用ナットと外周ネジ１０ａとの間に突っ張り力を与えることにより緩み不能にロックするように構成している。各ロックネジ３はその外周面に緩み止めにすぐれたナイロン等が被覆されていると共に、上部に断面六角のＬレンチ４が係合可能な六角穴部３ａを備えている。
【００１６】  次に、上記した変位センサーの固定用ナット及び変位センサーの固定構造の作用について説明する。
【００１７】  変位センサー１を金属板Ａに埋込み状に取り付ける場合、まず、変位センサー１における円筒状ケース１０の外周ネジ１０ａから一方の固定用ナット２を外し、その外したネジ側から円筒状ケース１０を金属板Ａの貫通孔ａに差し込んで貫通させる。次に、他方のナット２を金属板Ａに押し当てたまま、外した一方のナット２をその差し込み側ネジ部１０ａに軽く螺合して、一対の固定用ナット２，２で金属板Ａを挟み付ける。この場合固定用ナット２，２で金属板Ａをことさらに強く締め付ける必要はない。その後、各小径ネジ孔２０ｃ，２０ｃにロックネジ３，３を断面六角のＬレンチ４で軽く締め付けてロックネジ３，３の先端部を金属板Ａに押圧する。これにより固定用ナット２と円筒状ケース１０の外周ネジ１０ａとの間に突つ張り力を与えることになり、各固定用ナット２，２を円筒状ケースに対し緩みが生じたりすることなく確実にロックすることができる。
【００１８】  したがって、一対の固定用ナット２，２を従来のように強く締め付けて固定する必要がなく、大きなスパナなどの治具が不要となる。その結果、狭い機械内部に容易に設置することが可能となるし、また、真鍮製の円筒状ケース１０のネジ１０ａを変形させるといった問題もなくなる。しかも、ロックネジ３，３の先端部を金属板Ａに押圧することによって、固定用ナット２と円筒状ケース１０の外周ネジ１０ａとの間に突つ張り力を与えることになる。これにより機械が振動することがあっても各固定用ナット２，２を円筒状ケース１０に対し緩みが生じたりすることなく確実にロックすることができる。さらに、ロックネジ３としてその外周に緩み止めにすぐれたナイロンを被覆し、かつ上部に断面六角のＬレンチ４が係合可能な六角穴部３ａを備えた構成とすることにより、ロックネジ３を小径ネジ孔２０ｃにＬレンチ４により軽く螺合するだけで固定用ナット２を円筒状ケース１０に対してより確実に緩みが生じることなくロックすることができる。
【００１９】  なお、上記した実施形態では金属板Ａに変位センサー１を埋め込み状に固定するようにしたものについて説明したけれども、金属板Ａに限られるものではなく、変位センサー１を埋め込み状に支持できる適宜厚みのある部材であってもよいことは勿論である。
【００２０】  また、固定用ナット２に設ける小径ネジ孔２０ｃの個数は、上記した実施形態のように１個の他、たとえば図５及び図６に示すように複数個（図では３個）設けるようにしてもよい。
【００２１】  図７及び図８は固定用ナットの別の実施の形態を示すもので、６角形状の固定用ナット２に代えて、円形状のナット本体２０の中心部に変位センサー１における円筒状ケース１０の外周ネジ１０ａに螺合する大径ネジ孔２０ａを有し、かつ外周側部にセレーション２０ｂを設けた固定用ナット２Ａに適用したものである。その場合、大径ネジ孔２０ａの側部３箇所に等角度をおいて軸方向に貫通するロックネジ用の小径ネジ孔２０ｃ，２０ｃ，２０ｃを設けている。この他、固定用ナットの形状は限定されるものではなく、多角形や異形などであってもよい。
【００２２】  なお、各請求項におけるセンサーとは、上記した変位センサーに限らず、物品の有無を検出する検出センサーや検出スイッチ、或いは一定の距離まで移動したときこれを検出する検出センサーや作動を停止する近接スイッチなどを含む概念である。さらに、上記した固定用ナット２はセンサーの固定に限らず、その他の外周にネジ部をもつ円筒状ケースを金属板等に埋め込み状に固定する場合にも適用できることは勿論である。
【図面の簡単な説明】
【００２３】
【図１】  本発明の実施形態を示すセンサーの固定用ナットの平面図である。
【図２】  同ナットの側面図である。
【図３】  本発明の実施形態を示すセンサーの固定用構造の一部省略縦断面図である。
【図４】  同固定用構造の一部省略平面図である。
【図５】  固定用ナットの別の実施形態を示す平面図である。
【図６】  同ナットの側面図である。
【図７】  さらに固定用ナットの別の実施形態を示す平面図である。
【図８】  同ナットの側面図である。
【図９】  従来説明図である。
【符号の説明】
【００２４】１          変位センサー
２          固定用ボルト
２Ａ        固定用ボルト
３          ロックネジ
３ａ        六角穴部
４          Ｌレンチ
１０        円筒状ケース
１０ａ      外周ネジ部
２０        ナット本体
２０ａ      大径ネジ部
２０ｃ      小径ネジ部
【図１】
2005249766.tif 000003
【図２】
2005249766.tif 000004
【図３】
2005249766.tif 000005
【図４】
2005249766.tif 000006
【図５】
2005249766.tif 000007
【図６】
2005249766.tif 000008
【図７】
2005249766.tif 000009
【図８】
2005249766.tif 000010
【図９】
2005249766.tif 000011